(57)【要約】【課題】複数枚のマットを備蓄可能なマット備蓄構造物及びマット備蓄ベンチを提供する。【解決手段】マット備蓄構造物１は、クッション性を有するマット３を複数枚積層して構成されたクッション性を有するクッション本体２と、マット３を固定して積層状態を維持する固定手段４と、を備えている。【選択図】図２
2020137858.tif 000002
【特許請求の範囲】
【請求項１】
クッション性を有するマットを複数枚積層して構成されたクッション性を有するクッション本体と、
前記マットを固定して積層状態を維持する固定手段と、を備えている、マット備蓄構造物。
【請求項２】
前記固定手段は、前記クッション本体の上面から上方へ立設される立設部を有する、請求項１に記載のマット備蓄構造物。
【請求項３】
前記固定手段は、前記クッション本体を被覆する固定カバーを含む、請求項１又は請求項２に記載のマット備蓄構造物。
【請求項４】
請求項１〜請求項３のいずれか１項に記載のマット備蓄構造物は、マット備蓄ベンチであって、
前記クッション本体の上面は座面である、マット備蓄ベンチ。
【発明の詳細な説明】
【技術分野】
【０００１】
本発明は、マットを備蓄可能な構造物であるマット備蓄構造物及びマット備蓄ベンチに関する。
【背景技術】
【０００２】
従来、災害時に必要な防災関連用品を収納可能なベンチが公知である（特許文献１）。例えば、このベンチは、ボックス状の脚と、脚にわたされた板状体と、を備える。脚は、上面に設けられた洋式便座と下面に設けられた排出口とを有し、トイレとして利用可能である。板状体は、タンカとして利用可能である。
【先行技術文献】
【特許文献】
【０００３】
【特許文献１】特開２０１０−１２５２３１号公報
【発明の概要】
【発明が解決しようとする課題】
【０００４】
ところで、備蓄が望まれる防災関連用品として、トイレやタンカに加えて、医薬品、飲料水、非常食等が挙げられる。しかしながら、災害時には、多くの人が避難場所の床に直接座ったり寝たりする事態が想定され、硬い床による体の痛み、底冷え等によって、睡眠不足や体調不良が引き起こされ、災害ストレスや緊張が増幅されることとなる。このような事情により、人が寝たり座ったりして休息できるクッション性を有するマットの備蓄が要望されているが、人命救助の観点では、非常食等よりも優先度が低い上に、マットが嵩張ることから収容空間の確保が困難であった。
【０００５】
本発明は、複数枚のマットを備蓄可能なマット備蓄構造物及びマット備蓄ベンチを提供することを目的とする。
【課題を解決するための手段】
【０００６】
本発明のマット備蓄構造物は、クッション性を有するマットを複数枚積層して構成されたクッション性を有するクッション本体と、前記マットを固定して積層状態を維持する固定手段と、を備えている。
【０００７】
かかる構成によれば、通常時にベンチ等として使用される構造物のクッション本体が、例えば、災害時等にそれぞれ使用可能な複数のマットで構成されているため、この構造物は、複数のマットを備蓄可能である。クッション本体を構成する複数枚のマットは、例えば、通常時には積層された状態とされてベンチ等の人が乗る部分である座面として使用されるので嵩張ることがなく、災害時等には順次取り出されると共に床等に敷かれた状態とされて人が寝そべる等して使用できる。
【０００８】
しかも、通常時に人が構造物に乗ることでクッション本体に体重がかかっても、固定手段がマットを固定してマットの積層状態を維持しているため、この積層状態が崩れにくい。
【０００９】
また、前記固定手段は、前記クッション本体の上面から上方へ立設される立設部を有してもよい。
【００１０】
かかる構成によれば、例えば、固定手段の立設部を椅子の肘掛けや背もたれやベッドの手すり等として用いることができる。
【００１１】
さらに、前記構造物は、前記クッション本体を被覆するカバーを備えてもよい。
【００１２】
かかる構成によれば、カバーにより積層されたマットが被覆されることにより、通常時の構造物の外観には積層されたマットが現れないため、構造物の外観が良好となる。
【００１３】
前記マット備蓄構造物は、マット備蓄ベンチであって、前記クッション本体の上面は座面である、マット備蓄ベンチであってもよい。
【００１４】
かかる構成によれば、マット備蓄構造物をベンチとして用いることができる。
【発明の効果】
【００１５】
以上より、本発明によれば、複数枚のマットを備蓄可能なマット備蓄構造物及びマット備蓄ベンチを提供することができる。
【図面の簡単な説明】
【００１６】
【図１】図１は、本実施形態に係る構造物の斜視図である。
【図２】図２は、図１の構造物の分解斜視図である。
【図３】図３は、図１の構造物を説明するための図であり、図３（ａ）は図１から前記構造物のカバーを取り外した状態の斜視図であり、図３（ｂ）は前記構造物の前記クッション本体を構成するマットの斜視図である。
【図４】図４は、変形例に係る構造物を説明するための図であり、図４（ａ）は図４から前記構造物のカバーを取り外した状態の斜視図であり、図４（ｂ）は前記構造物の前記クッション本体を構成するマットの斜視図である。
【図５】図５は、図４の構造物を説明するための斜視図である。
【図６】図６は、変形例に係る構造物を説明するための模式図であって、図６（ａ）は前記構造物の斜視図であり、図６（ｂ）は図６（ａ）から前記構造物のカバーを取り外した状態の斜視図である。
【図７】図７は、図６（ｂ）の分解斜視図である。
【図８】図８は、図６の構造物を説明するための図であり、図８（ａ）は前記構造物のクッション本体のマットの斜視図であり、図８（ｂ）は前記構造物の板部材の斜視図である。
【図９】図９は、変形例に係る構造物を説明するための模式図であって、図９（ａ）は前記構造物のカバーを取り外した状態の斜視図であり、図９（ｂ）は前記構造物の前記固定手段の斜視図である。
【図１０】図１０は、図９の構造物を説明するための模式図であって、図１０（ａ）は前記構造物の平面図であり、図１０（ｂ）は図１０（ａ）の断面図である。
【図１１】図１１は、変形例に係る構造物を説明するための模式図であって、図１１（ａ）は前記構造物の断面図であり、図１１（ｂ）は前記構造物の一部拡大図である。
【図１２】図１２は、変形例に係る構造物を説明するための側面図である。
【図１３】図１３は、変形例に係るカバーを説明するための模式図であって、図１３（ａ）は前記カバーにおける座面被覆部を上方に向けた状態のカバーの斜視図であり、図１３（ｂ）は前記カバーにおける座面被覆部を下方に向けた状態のカバーの斜視図である。
【図１４】図１４は、変形例に係る構造物の斜視図である。
【図１５】図１５は、図１４の構造物からロック手段を除いた分解斜視図である。
【図１６】図１６は、変形例に係る構造物におけるクッション本体の斜視図である。
【図１７】図１７は、変形例に係る構造物におけるクッション本体の斜視図である。
【図１８】図１８は、変形例に係る構造物におけるマットを説明するための模式図であって、図１８（ａ）は全体を広げた状態のマットの斜視図であり、図１８（ｂ）は一部を折りたたんだ状態のマットの斜視図である。
【発明を実施するための形態】
【００１７】
以下、本発明の実施形態について、図１〜図３（ｂ）を参照しつつ説明する。マット備蓄構造物である構造物１は、図１に示すように、クッション性を有するクッション本体２と、マット３を固定して積層状態を維持する固定手段４と、を備える。クッション本体２は、図２及び図３（ａ）に示すように、マット３を複数枚積層して構成される。また、本実施形態の構造物１は、マット備蓄ベンチである。本明細書において、ベンチとは、イス、カウチ、ソファーなどを含む概念である。
【００１８】
マット３は、積層された状態でクッション本体２を構成し、且つ、クッション性を有するマットであり、積層してもその形状が維持される。また、マット３は、単体で床面等に敷設して、使用することもできる。本実施形態のクッション本体２に含まれるマット３の材質や形状はそれぞれ異なっていてもよいが、同じであることが望ましい。マット３は、例えば、発泡シートである。マット３の材質は、軟質樹脂であることが好ましく、例えば、ポリ塩化ビニル、ウレタン、オレフィン、アクリル、スチレン、ポリエチレン、ポリ酢酸ビニル、ゴムなどであるが、加工性や耐久性に優れることから、ポリ塩化ビニルが好ましい。
【００１９】
マット３の形状は、図３（ｂ）に示すように、例えば、長尺板状である。具体的に、マット３を厚み方向から視たときの形状は、四隅が欠けた長方形状、即ち、固定手段４との固定のため四隅に凹部３０が設けられた長方形状である。マット３の厚み方向とは、マット３を床面に敷設して使用するときの垂直方向、すなわち、図３（ｂ）の紙面の上下方向である。四つの凹部３０の形状は、いずれも同じである。凹部３０は、マット３の面方向における内側に凹んでいる、即ち、マット３の面方向における中央に近づくように凹んでいる。凹部３０の角度は、例えば、直角である。凹部３０は、マット３の長手方向に延びる凹部第一外縁３１と、マット３の短手方向に延びる凹部第二外縁３２とで区画されている。
【００２０】
本実施形態のマット３では、いずれの部位の厚みも均一である。マット３の厚みは、たとえば２．０ｍｍ以上１００ｍｍ以下であり、３．０ｍｍ以上５０ｍｍ以下が好ましく、４．０ｍｍ以上１０ｍｍ以下がより好ましい。マット３は、その厚みが下限値以上であれば、クッション性や強度を確保することができ、上限値以下であれば、マット３が厚くなりすぎないので、持ち運び性に優れ、また、多くのマット３を備蓄することができる。
【００２１】
このような厚みのマット３であれば、クッション本体２におけるマット３の積層枚数は、４枚以上２００枚以下であることが好ましく、５０枚以上９０枚以下であることが望ましい。このような厚みのマット３の積層枚数が５０枚以上９０枚以下であることにより、クッション本体２の座面２１の高さが、例えば、床から３００ｍｍ以上４００ｍｍ以下といった適切な高さになる。
【００２２】
マット３の短手方向における寸法は、５００ｍｍ以上１５００ｍｍ以下が好ましく、６００ｍｍ以上１２００ｍｍ以下であることが望ましい。マット３の長手方向における寸法は、１６００ｍｍ以上２４００ｍｍ以下が好ましく、１８００ｍｍ以上２０００ｍｍ以下であることが望ましい。マット３の短手方向における寸法が下限値以上であれば、ベンチとして使用する際にクッション本体２の奥行きの寸法を確保できる。また、マット３の長手方向における寸法は、この下限値以上であれば、人が座ったり寝たりする面積を確保でき、上限値以下であれば、大きくなりすぎずマット３の収容空間の確保が容易となる。
【００２３】
例えば、マット３は、東リ株式会社製の製品名「アンダーレイシート」を６ｍｍ厚で製造したものを使用している。アンダーレイシートは、ビニル床シート等の下に施工して転倒時の衝撃を緩和するために使用される製品であり、塩化ビニル樹脂等からなる発泡層を備えていることから、優れた衝撃吸収性を有する。
【００２４】
クッション本体２は、人が乗ることのできるクッション性を有するブロックである（図２、図３（ａ）参照）。本実施形態のクッション本体２は、床に直接設置される。また、本実施形態のクッション本体２では、マット３の積層方向が、一方向である。具体的には、マット３の積層方向は、垂直方向、即ち、上下方向であり、例えば、ベンチの高さ方向である。なお、本実施形態のクッション本体２では、マット３が、広げられた状態、即ち、折りたたまれていない状態で積層されている。
【００２５】
さらに、本実施形態のクッション本体２の形状は、例えば、略直方体状である。具体的に、クッション本体２の形状は、四隅が欠けた直方体状、例えば、四隅に凹部２０が設けられた直方体状である（図２参照）。四つの凹部２０の形状は、いずれも同じである。凹部２０は、クッション本体２の座面２１や下面２２の面方向における内側に凹んでいる、例えば、座面２１や下面２２の面方向における中央に近づくように凹んでいる。凹部２０の凹みの角度は、例えば、直角である。
【００２６】
また、本実施形態のクッション本体２は、人が乗ることができる上面であり、積層されたマット３のうち最も上方に位置するマット３の上面である座面２１と、座面２１と対向し且つ床に設置され、積層されたマット３のうち最も下方に位置するマット３の下面である下面２２と、を有する。また、クッション本体２は、積層されたマット３の側面、即ち、外周面、例えば、一対の長壁面２３と、一対の短壁面２４と、隣り合う長壁面２３及び短壁面２４とを接続し且つ凹部２０を区画する凹部第一面２５及び凹部第二面２６と、を有する。凹部第一面２５は、マット３の長手方向に沿って延びており、例えば、マット３の長手方向、即ち、クッション本体２の座面２１や下面２２の長手方向に延びている。凹部第二面２６は、マット３の短手方向に沿って延びており、マット３の短手方向、即ち、クッション本体２の座面２１や下面２２の短手方向に延びている。
【００２７】
本実施形態のクッション本体２には、着脱可能に固定手段４が取り付けられている。このクッション本体２は、例えば、固定手段４と対応する形状であり、少なくとも一部がマット３の長手方向及び短手方向において固定手段４と接触することにより、マット３の面方向の移動を規制する被規制部２００を有する。なお、被規制部２００は、マット３の面方向において固定手段４と接触することによりマット３の面方向の移動を規制していればよく、この場合、被規制部２００の形状と固定手段４の被規制部２００と対向する部位のする形状は、一致している部分が多いほどマットの面方向の移動を規制する効果が高いが、必ずしも全て一致している必要はない。
【００２８】
クッション本体２の被規制部２００には、例えば、マット３の長手方向の両端においてそれぞれ並び且つマット３の長手方向に沿った方向において固定手段４に当たる一対の長手方向被規制部２４、２６や、マット３の短手方向の両端において並び且つマット３の短手方向に沿った方向において固定手段４に当たる一対の短手方向被規制部２５が設けられている。例えば、長手方向被規制部２４、２６の形状が固定手段４の長手方向被規制部２４、２６と対向する部位と対応する形状を有し、短手方向被規制部２５の形状が固定手段４の短手方向被規制部２５と対向する部位と対応する形状を有している。短手方向被規制部２５の形状が固定手段４の短手方向被規制部２５と対向する部位と対応する形状は、一致している部分が多いほどマット３の面方向の移動が規制をする効果が高いが、必ずしも全て一致している必要はなく対応する部分が一部であっても規制することができる。長手方向被規制部２４、２６についても同様である。
【００２９】
長手方向被規制部２４、２６は、後述する長手方向規制部４３２、４４０が側方から当接することによって、マット３の位置を規制して長手方向への位置ずれを抑制する部分を指す。本実施形態のクッション本体２では、クッション本体２の長手方向にそれぞれ並ぶ一対の短壁面２４や一対の凹部第二面２６が一対の長手方向被規制部２６である。
【００３０】
短手方向被規制部２５は、後述する短手方向規制部４３１が側方から当接することによって、マット３の位置を規制して短手方向への位置ずれを抑制する部分を指す。本実施形態のクッション本体２では、クッション本体２の短手方向に並ぶ一対の凹部第一面２５が一対の短手方向被規制部２５である。
【００３１】
固定手段４は、着脱可能にクッション本体２に取り付けられる。また、固定手段４は、クッション本体２に取り付けられた状態において、マット３の積層状態が崩れないように固定し、例えば、マット３の面方向における位置ずれを規制する。本実施形態の固定手段４は、マット３を固定してマット３の積層状態を維持しているが、必ずしも全てのマット３を完全に固定する必要はない。固定手段４は、例えば、通常状態では固定部材４０とマット３とが非接触だが、マット３にずれが生じてマット３の積層状態が崩れそうになった場合だけ固定部材４０とマット３が接触して積層状態を維持する構成など、マット３の位置をマット３の積層状態が崩れない程度に規制している構成も含む。なお、マット３の面方向は、例えば、マット３の長手方向及びマット３の短手方向の少なくとも一方を含む。本実施形態の固定手段４は、一対設けられ、例えば、水平方向においてクッション本体２を挟むように一対設けられた固定部材４０と、少なくともクッション本体２を被覆する固定カバー５と、を含む。
【００３２】
本実施形態の固定部材４０は、固定カバー５を介してクッション本体２に取り付けられる。具体的に、固定部材４０は、固定カバー５に着脱可能な固定部材着脱部４９として、ファスナーを有する。ファスナーには、点ファスナー、線ファスナー、面ファスナーが含まれるが、本実施形態では、線ファスナーを用いた例で説明する。固定部材着脱部４９は、例えば、固定部材４０のうちクッション本体２の短壁面２４と対向する面の外縁の少なくとも一部に配置され、具体的には、この外縁のうち上端縁及び側端縁に配置されている。面ファスナーは、特に固定部材４０と固定部材着脱部４９とを簡単な操作で、外れにくく、かつ平面状態で隙間なく結合することができるという特性があるので本発明に好適である。
【００３３】
一対の固定部材４０は、マット３の長手方向においてクッション本体２を挟むように設けられている。一対の固定部材４０の形状は、いずれも同一である。なお、一対の固定部材４０の形状は、異なる形状、例えば、左右非対称の形状であってもよい。また、本実施形態の固定部材４０は、マット３の積層状態をまとめて固定する固定部４１、及び、クッション本体２の上面である座面２１を含む面から上方に延びる、即ち、立設される立設部４２の少なくとも一方を有する。具体的に、固定手段４は、このような固定部４１と、立設部４２としてベンチにおける肘掛けとして機能する肘掛け部４２と、を有する。
【００３４】
固定部４１の形状は、クッション本体２の形状と対応する形状であり、例えば、略矩形板状である。本実施形態の固定部４１の高さは、クッション本体２の高さと略同じである。また、本実施形態の固定部４１は、矩形板状の本体部位４４と、本体部位４４の主面４４０の両端部からそれぞれ本体部位４４の厚み方向に延び、互いに間隔をあけて配置された一対の凸部４３と、を有する。
【００３５】
凸部４３の本体部位４４の主面４４０からの突出量は、クッション本体２の凹部２０の凹みと略同一の寸法である。また、凸部４３は、クッション本体２の高さ方向における全域に延びている。本体部位４４の厚み方向に直交し且つ高さ方向に直交する方向における寸法、具体的に、本体部位４４の一対の凸部４３の並び方向における間隔の寸法は、クッション本体２の短壁面２４の短手方向における寸法と略同一である。凸部４３の凹部２０と対向する部位の角度は、例えば、直角である。凸部４３の外周面は、マット３の長手方向に延びる凸部第一面４３１と、マット３の短手方向に延びる凸部第二面４３２と、を含む。
【００３６】
本実施形態の各固定部４１は、マット３の短手方向に並ぶ一対の凸部４３を有するため、凸部第一面４３１はマット３の短手方向においてクッション本体２を挟むように一対存在する（図２参照）。また、この固定部４１は、マット３の長手方向においてクッション本体２を挟むように一対配置されているため、凸部第二面４３２は、クッション本体２を挟んで一対存在する。
【００３７】
なお、固定部４１は、クッション本体２の被規制部２００に当接することでマット３の面方向における移動を規制する規制部４００を有する。本実施形態の固定部４１の規制部４００は、クッション本体２を構成する複数のマット３の面方向における移動を規制することにより、クッション本体２の位置ずれを抑制することができる。規制部４００は、マット３の長手方向への位置ずれを抑制する長手方向規制部４３２と、マット３の短手方向への位置ずれを抑制する短手方向規制部４３１と有する。
【００３８】
本実施形態では、長手方向規制部４３２は、マット３の長手方向においてクッション本体２を挟むように配置された一対の凸部第二面４３２である。短手方向規制部４３１は、マット３の短手方向においてクッション本体２を挟むように配置された一対の凸部第一面４３１である。
【００３９】
肘掛け部４２は、固定部４１から上方に延びる延出部位４５と、延出部位４５上に配置される肘掛け部位４６と、を含む。本実施形態の肘掛け部４２では、延出部位４５は一対設けられ、一対の延出部位４５は、それぞれ、本体部位４４の主面４４０と連続する上面４４１から上方に延びる。主面４４０は、マット３の両端部に長手方向から当接することで長手方向規制部４４０としても機能する。なお、本実施形態の上面４４１は、クッション本体２の座面２１を含む面に位置している。延出部位４５の形状は、いずれも丸棒状である。なお、延出部位４５の形状は、丸棒状以外の形状、例えば、角棒状等であってもよい。肘掛け部位４６の形状は、角が丸まった矩形板状である。肘掛け部位４６の長手方向における両端部は、一対の延出部位４５により支持されている。なお、本実施形態の固定部４１及び肘掛け部４２の材質は、例えば、硬質樹脂、木、金属等であるが、耐久性があり、水にも強く、形状の自由度が高いことから、硬質樹脂が望ましい。固定部４１と、肘掛け部４２とは、同じ材料でもよいし、異なっていてもよい。
【００４０】
固定カバー５は、クッション本体２を被覆することでマット３の積層状態を隠して意匠性を向上させ、また、マット３を保護して汚損を防ぐものである。本実施形態の固定カバー５の材質は、例えば、ポリ塩化ビニル、ポリウレタン等の軟質樹脂、布、革等である。このような柔軟な材質を用いることによって、マット３のクッション性を阻害せず、複数のマット３を一体化させてクッション本体２として機能させることができ、また触感にも優れるものとなる。また、本実施形態の固定カバー５は、固定部４１に着脱可能なカバー着脱部５０として、ファスナーを有する。カバー着脱部５０は、例えば、固定カバー５の外縁の少なくとも一部に配置され、具体的に、この外縁のうち上端縁及び側端縁に配置されている。
【００４１】
また、固定カバー５は、クッション本体２の外周面の少なくとも一部、例えば、直方体状のクッション本体２の少なくとも三面を被覆し、具体的に、クッション本体２の座面２１、及び、クッション本体２の側面のうち固定部４１に囲まれていない面を被覆する。また、固定カバー５は、クッション本体２の座面２１、及び、長壁面２３を被覆する。本実施形態の固定カバー５は、クッション本体２の座面２１を覆う座面被覆部５１と、クッション本体２の側面、例えば、長壁面２３を被覆する側面被覆部５２と、を有する。さらに、固定カバー５は、上述の機能に加えて、マット３を固定して積層状態を維持する機能を有する。本実施形態の固定カバー５の形状は、クッション本体２の形状と対応している。
【００４２】
このような構成により、通常時、即ち、固定部材４０が固定カバー５を介してクッション本体２に取り付けられた状態において、固定部材４０の凸部４３がクッション本体２の凹部２０に嵌合することで、固定部材４０がマット３の積層状態を維持する。なお、このとき、本体部位４４の厚み方向は、マット３の長手方向と一致している。固定部材４０の長手方向規制部４３２は、クッション本体２の長手方向被規制部２６の高さ方向全域における全域に当接することにより、マット３の積層体全体の長手方向への位置ずれを規制する。短手方向規制部４３１は、クッション本体２の短手方向被規制部２５の高さ方向における全域に当接することにより、マット３の積層体全体の短手方向への位置ずれを規制する。
【００４３】
本実施形態の構造物１は、例えば、マット３を積層することでクッション本体２を構成し、クッション本体２を固定カバー５で覆った後、固定カバー５で覆われたクッション本体２に固定部材４０を取り付けることで組み立てられる。このように積層された状態のマット３は、通常時にベンチにおける人が座る部位として機能する。なお、本実施形態のクッション本体２への固定部材４０の取り付けの際には、一対の固定部材４０により、固定カバー５で被覆したクッション本体２をクッション本体２の長手方向における両側から挟み込み、さらに、カバー着脱部５０を固定部材着脱部４９に取り付ける。これにより、クッション本体２は、一対の固定部材４０及び固定カバー５と一体化する。
【００４４】
一方、本実施形態の構造物１では、例えば、クッション本体２から固定部材４０及び固定カバー５を取り外すことで、クッション本体２を構成する各マット３を順次取り出して使用することができる。このように取り出された各々のマット３は、災害時等に人が座ったり寝そべったりするマットとして機能する。なお、本実施形態のクッション本体２からの固定部材４０の取り外しの際には、カバー着脱部５０と固定部材着脱部４９とを取り外し、さらに、一対の固定部材４０をクッション本体２の長手方向における両側から外側に取り外す引き抜くことで、固定カバー５で被覆されたクッション本体２から取り外した後に、クッション本体２から固定カバー５を取り外す。
【００４５】
なお、構造物１は、空港・駅・ショッピングセンター等の施設や住居等の屋内施設、公園などの屋外施設、車両や船舶といった輸送手段等に設置されて使用される。災害時のみならず、大勢の人が集まるイベントの開催時等においても、固定カバー５内からマット３を取り出して床面等に敷設することで、マット３の上で休息することができる。
【００４６】
以上の構造物１によれば、通常時にベンチ等として使用される構造物１のクッション本体２が、例えば、災害時等にそれぞれ使用可能な複数枚のマット３で構成されているため、この構造物１は、複数枚のマット３を備蓄可能である。具体的に、構造物１は、ベンチ等の通常時に人が乗ることで使用される家具と、マット３の備蓄する装置とを兼ねるため、構造物１を置くスペースに加えて、マット３を複数枚備蓄するためのスペースを別途設ける必要が無い。なお、クッション本体２を構成する複数枚のマット３は、例えば、通常時には積層された状態とされてベンチ等の人が乗る部分である座面として使用され、災害時等には順次取り出されると共に床に敷かれた状態とされて人が寝そべる等して使用できる。
【００４７】
本実施形態の構造物１によれば、固定手段４がマット３を固定して積層状態を維持しているため、通常時に人が構造物１に乗ることでクッション本体２に体重がかかっても、マット３の積層状態が崩れることがない。しかも、固定手段４が、マット３の面方向における位置ずれを規制するため、マット３の積層状態が崩れることを確実に抑えることができる。具体的に、本実施形態の固定部４１は、短手方向規制部４３１を有するため、クッション本体２の短手方向における位置ずれを規制できる。また、本実施形態の固定部４１は、長手方向規制部４３２を有するため、クッション本体２の長手方向における位置ずれを規制できる。尚、固定手段４がマットを固定して積層状態を維持するためには、必ずしも固定手段４に常時接触している必要はなく、マット３の位置が一定以上ずれた際に接触して規制するようになっていてもよい。
【００４８】
さらに、固定部４１がマット３の積層状態をまとめて固定するため、マット３に対する一対の固定部４１の取り付けの作業が一度の作業で完了できるため、一度の作業により効率的にマット３の位置ずれを規制することができる。
【００４９】
しかも、固定部４１は、クッション本体２に取り付けられた状態では、水平方向においてクッション本体２を挟むように一対設けられている。そのため、固定部４１のクッション本体２への取り付けの際に、一対の固定部４１により、床に設置したクッション本体２を両側、例えば、クッション本体２の長手方向における両側から挟み込むことにより、固定部４１とクッション本体２との位置決めが可能であり、取り付けが容易である。
【００５０】
また、本実施形態の構造物１によれば、固定手段４がクッション本体２の座面２１を含む面から立設された立設部４２を含むため、固定手段４の立設部４２をベンチの肘掛け等として用いることができる。このように、立設部４２が既存の家具、例えば、ベンチの一部を構成する部材を兼ねることで、構造物１に肘掛けとして用いることができることにより、別途、マット３の積層状態を維持するような部材を設ける必要が無いため、部品点数を抑えることができる。また、立設部４２を備えていたとしても、構造物１の外観が、既存のベンチに近くなり、通常時に違和感無く使用することができる。
【００５１】
さらに、本実施形態の構造物１によれば、積層されたマット３が固定カバー５により被覆されることにより、通常時の構造物１の外観には積層されたマット３が現れない。そのため、構造物１の外観が、既存のベンチと類似した良好なものとなる。
【００５２】
しかも、本実施形態の構造物１によれば、マット３の積層方向が垂直方向であるため、人が乗っていない状態において、マット３の積層方向と、マット３の自重がかかる方向とが一致することから、マット３の積層状態が維持されたままとなりやすい。また、同様に、人が構造物１に乗ったときでも、マット３に体重がかかる垂直方向と、マット３の積層方向とが一致することから、マット３の積層状態が維持されたままとなりやすい。
【００５３】
なお、本発明の構造物は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５４】
例えば、構造物１は、ベンチであったが、ベンチ以外に、スツールのような一人用の椅子、ベッド等の人が乗るクッション性を有する部位を含む家具であってもよい。また、構造物１は、子供が遊ぶようなクッション性を有するキッズコーナーの床や、この床と比べて一段高くなった仕切り等であってもよい。例えば、構造物１が床や仕切り等を含むキッズコーナーである場合、キッズコーナーの床に対応する領域や仕切りに対応する領域においてクッション本体２を構成するマット３が積層される枚数を異ならせることで、この各領域におけるクッション本体２の高さを異ならせることができる。これにより、通常時に、クッション本体２の高さが低い領域をキッズコーナーの床として使用し、クッション本体２の高さが高い領域をキッズコーナーの仕切りとして使用することができる。ただし、応用例の中ではベンチが通常使用時の利便性が高く、マットにした場合の大きさも利用し易いので最も好ましい。
【００５５】
上記実施形態では構造物１がベンチであり、固定手段４の立設部４２が肘掛けを兼ねていたが、例えば、構造物１が椅子である場合に、立設部４２は肘掛け及び背もたれの少なくとも一方を兼ねてもよい。例えば、構造物１がベッドである場合に、立設部４２は手すり及びヘッドボードの少なくとも一方を兼ねてもよい。立設部４２を手すりやヘッドボードとして活用すると、少ない部材で利便性を高めることができるという効果がある。
【００５６】
上記実施形態では、固定手段４の凸部第一面４３１、凸部第二面４３２、及び、主面４４０、即ち、固定手段４のクッション本体２と対向する面の全体が、クッション本体２と当接していたが、これらの少なくとも一部がクッション本体２と離間していてもよい。この場合も、固定手段４のクッション本体２と対向する面がクッション本体２の短手方向や長手方向に延びていれば、クッション本体２の動きを規制することができるので規制部４００として機能する。また、固定手段４の長手方向規制部４３２は、クッション本体２の短手方向において長手方向被規制部２６と略平行に延びていたが、短手方向に沿って延びていればよく、例えば、短手方向に沿った斜め方向に延びていたり、短手方向に沿って湾曲して延びていたりしてもよい。短手方向規制部４３１は、クッション本体２の長手方向において短手方向被規制部２５と略平行に延びていたが、長手方向に沿って延びていればよく、例えば、長手方向に沿った斜め方向に延びていたり、長手方向に沿って湾曲して延びていたりしてもクッション本体２の動きを規制することができるので規制部４００として機能する。
【００５７】
さらに、固定部材４０は、固定部４１と立設部４２とを含んでいたが、これらのうち一方を含んでいなくてもよい。例えば、固定部材４０が、図４（ａ）に示すように、積層されたマット３のうち複数枚のマット３の積層状態を縛ることにより固定する束縛部４７を有してもよい。同図では、束縛部４７は、マット３の積層状態を一括で縛ることにより固定しており、具体的には、ゴムバンドであってもよい。束縛部４７は、マット３の面方向における移動を規制すると共に、マット３の厚み方向における移動を規制することが考えられ、同図では、束縛部４７は、積層されたマット３の長手方向における両端部２７及び中央部２８をそれぞれ固縛するよう三つ配置されている。
【００５８】
なお、束縛部４７は、ゴムバンドの代わりに紐であってもよく、この場合、紐はクッション本体２を固縛し、固縛されたクッション本体２を板等に載置してタッカーを用いてこの紐と板とを留めることが考えられる。このような固定部材４０であっても、マット３の積層状態を維持し、マット３の少なくとも面方向における位置ずれを規制することができ、例えば、マットの厚み方向における位置ずれも規制することができる。
【００５９】
また、構造物１は、束縛部４７で固定されたクッション本体２の少なくとも一部を囲む枠状、或いは、箱状の固定部４１を備えてもよく、同図では、固定部４１は、クッション本体２の略下半分を収容する箱状である。固定部４１は、クッション本体２の外周の積層方向における全域を囲む枠であれば、マット３を一括で固定してマット３の積層状態を一括で維持することができる。
【００６０】
さらに、固定部４１は、同図では、上端に設けられた固定部材着脱部４９と、短手方向規制部４１０としてクッション本体２の短手方向においてクッション本体２を挟む一対の長壁面４１０と、長手方向規制部４１１としてクッション本体２の長手方向においてクッション本体２を挟む一対の短壁面４１１と、を有する。また、クッション本体２の被規制部２００は、クッション本体２の側面、例えば、長壁面２３や短壁面２４である。なお、マット３の厚み方向から視たときの形状は、図４（ｂ）に示すように、長方形状とすることが考えられる。
【００６１】
このとき、固定カバー５は、図５に示すように、クッション本体２のうち固定部４１に収容されない部分、即ち、クッション本体２のうち略上半分を覆うことが考えられる。また、固定カバー５は、同図では、下端に設けられたカバー着脱部５０を有している。
【００６２】
この構造物１では、クッション本体２に固定手段４を取り付ける際には、積層されたマット３を束縛部４７で固定し、クッション本体２の略下半分を固定部４１に収容する一方、クッション本体２の略上半分を固定カバー５で被覆し、さらに、固定カバー５を固定部４１に取り付けることが考えられる（図４（ａ）、図５参照）。
【００６３】
また、固定手段４は、上記形態のほか、図６（ａ）〜図７（ｂ）に示すように、少なくとも一ヵ所において、クッション本体２をマット３の厚み方向に貫通する固定部４１を有してもよい。このとき、固定部４１は、積層されたマット３を貫通することで、マット３の長手方向や短手方向の位置ずれを規制する貫通規制部４０１として機能することになる。
【００６４】
具体的に、固定手段４は、積層されたマット３のうち少なくとも複数枚、例えば、全体を貫通することでマット３の積層状態を維持する固定部４１と、固定部４１から上方に延びる延出部位４５及び肘掛け部位４６を含む立設部４２とを有することが考えられる。固定部４１の形状は、例えば、棒状であり、同図では、丸棒状である。固定部４１の長手方向における寸法は、クッション本体２の高さと略同一となっている。
【００６５】
クッション本体２の四隅には、固定部４１を挿通し且つマット３の厚み方向に貫通した貫通孔２９が設けられることが考えられる。貫通孔２９は、固定部４１と対応した形状であり、同図では、丸棒状に対応する丸孔である。このように貫通孔２９は、固定部４１と対応した形状であると、マット３の移動可能な範囲が少なくなるので、クッション本体２を規制する効果が高くなる。この貫通孔２９を区画する面が、貫通被規制部２０１として機能する（図７参照）。このとき、マット３の厚み方向から視たときの形状は長方形状となっている。また、マット３の四隅には、図８（ａ）に示すように、固定部４１を挿通し且つマット３の厚み方向に貫通する貫通孔３３が設けられることになる。なお、積層されたマット３を貫通する固定部４１の形状は、板状、例えば、マット３の短手方向に延びる板状も取り得る。この場合、固定部４１を挿通するマット３の貫通孔は、二つの貫通孔３３をマット３の短手方向において連通させた細長い矩形状の貫通孔であることが考えられる。
【００６６】
固定部４１が棒状、例えば、丸棒状であるとき、固定カバー５は、クッション本体２を被覆すると共に、四隅に設けられた貫通孔５３から立設部４２を露出してもよい（図６（ａ）参照）。このような固定手段４であっても、マット３の積層状態を維持し、マット３の面方向における位置ずれのうち回転方向の位置ずれ以外の位置ずれ、例えば、マット３の長手方向における位置ずれ及び短手方向における位置ずれの両方を規制することができる。
【００６７】
なお、クッション本体２をマット３の厚み方向に貫通する固定部４１は、一つであってもよく、この場合においても、固定部４１が、例えば、マット３の長手方向における位置ずれ及び短手方向における位置ずれの両方を規制することができる。
【００６８】
さらに、構造物１は、クッション本体２の座面２１以外の面、例えば、一対の長壁面２３や一対の短壁面２４を含む側面や下面２２に取り付けられた板部材６を備えてもよく、図６（ｂ）では、クッション本体２の下面２２に取り付けられる板部材として、長尺板状の板部材６を備え、クッション本体２は板部材６を介して床に設置される。板部材６は、例えば、樹脂製の板であってもよく、この場合、板部材６は、板部材６の外周縁の上端に配置され、且つ、固定カバー５のカバー着脱部５０と着脱可能な板部材着脱部６０を有することが考えられる（図６（ａ）参照）。板部材着脱部６０は、例えば、ファスナーであってもよく、同図では、線ファスナーである。
【００６９】
この場合、固定部４１は、クッション本体２に加えて板部材６も厚み方向に貫通してもよい。また、図８（ｂ）では、板部材６にも、固定部４１を挿通し且つ板部材６の厚み方向に貫通する貫通孔６１が設けられる。なお、クッション本体２の側面に板部材６を取り付け、この板部材６をクッション本体２の座面２１よりも高い位置まで延出させることで、板部材６をベンチの背もたれとして利用してもよい。
【００７０】
このような構成では、固定部４１は、マット３の長手方向や短手方向における位置ずれに加えて、マット３と板部材６との長手方向や短手方向における位置ずれも規制することができる。また、この構造物１では、クッション本体２に固定手段４を取り付ける際には、板部材６の上にマット３を積層し、積層されたマット３を固定カバー５で被覆し、固定カバー５で被覆されたクッション本体２の貫通孔２９、板部材６の貫通孔６１、及び、固定カバー５の貫通孔５３に固定部４１を貫通させた後に、さらに、カバー着脱部５０に板部材着脱部６０を取り付けることが考えられる。
【００７１】
固定手段４の固定部４１は、図９（ａ）〜図１０（ｂ）に示すように、クッション本体２の長手方向における両端部２７が挿入されることで、マット３の積層状態を維持する固定凹部４８を有してもよい。固定手段４がクッション本体２の長手方向においてクッション本体２を挟むように配置されることにより、固定凹部４８はこの長手方向においてクッション本体２を挟むように一対配置されることが考えられる。固定凹部４８は、同図では、垂直方向に広がり且つクッション本体２の長壁面２３と対向する短手方向規制部４８１である第一垂直面４８１や、垂直方向に広がり且つクッション本体２の短壁面２４と対向する長手方向規制部４８２である第二垂直面４８２や、厚み方向における規制部として水平方向に広がり且つクッション本体２の端部２７を高さ方向において挟む水平面４８３により区画されている。
【００７２】
この場合、固定手段４は、固定部４１に加えて、一体として形成された延出部位４５及び肘掛け部位４６で構成された立設部４２を有し、立設部４２の形状は、その上面に手を乗せやすくするべく湾曲した板状とすることが考えられる。このような固定手段４であっても、マット３の積層状態を維持し、マット３の少なくとも面方向における位置ずれを規制することができ、具体的に、一つの固定凹部４８を区画する一対の短手方向規制部４８１により、マット３の短手方向における位置ずれを規制できる。また、クッション本体２の長手方向においてクッション本体２を挟んで並ぶ一対の長手方向規制部４８２により、マット３の長手方向における位置ずれを規制できる。さらに、一つの固定凹部４８を区画する一対の水平面４８３により、マット３の厚み方向における位置ずれも規制することができる。
【００７３】
この場合、積層されたマット３は、図９（ａ）のように、板部材６に載置されるとともに、板部材６は、マット３の形状と対応した形状、例えば、長方形の板状であることが考えられる。この場合、同図では、板部材６の長手方向における両端部６２は、積層されたマット３、即ち、クッション本体２の両端部２７と共に、固定部４１の固定凹部４８に挿入されている。板部材６の材質の剛性がマット３の材質の剛性よりも高い場合、クッション本体２が自重や上に人が乗った場合の荷重により変形しにくくなる。
【００７４】
この構造物１では、クッション本体２に固定手段４を取り付ける際には、板部材６の上にマット３を積層し、積層されたマット３を固定カバー５で被覆し、さらに、カバー着脱部５０と固定部材着脱部４９とを取り付けた後に、一対の固定手段４で、クッション本体２の長手方向の外側からクッション本体２を挟み、固定凹部４８に固定カバー５に覆われたクッション本体２の両端部２７及び板部材６の両端部６２を挿入してもよい（図１０（ｂ）参照）。
【００７５】
固定部４１は、固定部材着脱部４９によりカバー着脱部５０を介してクッション本体２に取り付けられていたが、ボルト、紐やベルト等の取付部材を用いてクッション本体２に取り付けられてもよい。例えば、図１１（ａ）、図１１（ｂ）に示すように、固定部４１の外側から取付部材４０２を水平方向に挿通し、固定部４１と板部材６とを固定することで、固定部４１をクッション本体２に取り付けられてもよい。
【００７６】
なお、取付部材４０２としてボルトの代わりに、またはボルトと併用して紐やベルトを用いてもよく、例えば、図１２に示すように、固定部４１に紐４０３を挿通可能な金具４０４を固定し、この金具４０４に通した紐４０３でクッション本体２及び固定部４１を縛ることにより、固定部４１をクッション本体２に取り付けることが考えられる。
【００７７】
さらに、固定部４１は、予め固定カバー５に取り付けられていてもよく、例えば、図１３（ａ）、図１３（ｂ）に示すように、固定カバー５の内側に取り付けられていてもよい。具体的に、固定部４１は、同図では、直方体の箱状の固定カバー５の四隅の内側に取り付けられており、ゴム製であることが考えられる。また、固定部４１は、同図では、クッション本体２の高さ方向における全域を覆うように延びている。さらに、固定部４１は、例えば、接着剤により固定カバー５に取り付けられることが考えられ、同図では、固定カバー５がクッション本体２を覆った状態において、クッション本体２の四隅を覆うように配置されている。
【００７８】
四つの固定部４１は、同じ形状、例えば、長尺状であることが考えられる。また、固定部４１は、固定カバー５の短手方向に延び且つ長手方向規制部４１２である短手方向延出面４１２、及び、固定カバー５の長手方向に延び且つ短手方向規制部である長手方向延出面４１３の少なくとも一方を有してもよく、固定部４１は短手方向延出面４１２及び長手方向延出面４１３の両方を有することが考えられ、この場合、固定部４１の短手方向における断面形状がＬ字状とすることができる。この構造物１では、固定部４１は、マット３の面方向、例えば、クッション本体２の長手方向、及び、クッション本体２の短手方向における位置ずれを一括で規制することができる。
【００７９】
なお、固定カバー５には、クッション本体２に対する着脱を容易にすべく、スリット５４が設けられてもよく、同図では、側面被覆部５２にスリット５４が設けられている。また、固定カバー５には、スリット５４を開閉可能な開閉部５５としてファスナー５５を設けることが考えられる。
【００８０】
固定部４１は、マット３の積層状態を一括で維持していたが、積層されたマット３のうち少なくとも重なる二枚のマット３毎の位置を固定することで積層状態を維持してもよく、例えば、重なる二枚のマット３同士の面方向の位置ずれを規制すべく、マット３にスナップボタンや面ファスナーが設けられることが考えられる。また、固定部４１は、例えば、クッション本体２を構成するマット３と一体であってもよく、例えば、固定部４１は、重なる二枚のマット３同士の面方向の位置ずれを規制すべく、マット３に設けられた凹部や凸部であることが考えられる。このような固定部４１は、重なったマット３の一方に設けられた嵌合凹部や、重なったマット３の他方に設けられた嵌合凸部であってもよい。
【００８１】
固定手段４には、図１４に示すように、マット３の積層状態の維持した状態で固定し、マット３を取り出せないようにするロック手段７が設けられてもよい。例えば、ロック手段７は、南京錠等の一般錠、或いは、カードキー等の電気錠や電子錠である。このようなロック手段７は、同図では、固定カバー５のカバー着脱部５０の引手同士を固定可能である。固定手段４にロック手段７が設けられることで、通常時に、人が誤って固定手段４をクッション本体２から取り外すことによりマット３の積層状態が崩れることを防ぐことができる。よって、通常時には、マット３を取り出せないようにして構造物１をベンチ等として使用し、災害時等には、ロック手段７を解除して構造物１から各マット３を取り出して使用される。ロック手段の解除は、構造物１が設置された施設の管理者や利用客等によって行われる。
【００８２】
固定部４１が枠状である場合、固定部４１の厚みや高さは均一でなくてもよい。例えば、固定部４１は、図１５に示すように、クッション本体２の一対の長壁面２３のうちそれぞれの下半分、及び、クッション本体２の一対の短壁面２４の全体を囲む枠状であることが考えられる。このとき、同図では、固定部４１のうち一対の長壁面２３を囲む部位の高さが小さく、一対の短壁面２４を囲む部位の高さが大きく、固定カバー５は、クッション本体２のうち固定部４１から露出する部位、例えば、クッション本体２のうち上半分を被覆している。
【００８３】
固定カバー５は、クッション本体２の外周面の少なくとも一部を覆っていたが、クッション本体の座面２１に加えて、側面の全体や下面２２を覆ってもよい。また、固定カバー５は、クッション本体２の外周面に加えて、固定部材４０の少なくとも一部を覆ってもよい。例えば、固定カバー５は、図３（ａ）におけるクッション本体２に加えて、一対設けられた固定部４１をまとめて被覆することが考えられる。なお、この場合、固定カバー５に厚み方向に貫通した貫通孔を設け、固定カバー５の貫通孔から肘掛け部４２を露出してもよい。このように、固定カバー５が固定部４１を覆うことにより、利用者からクッション本体２への固定部４１の取り付け位置が把握しにくくなるため、通常時に、利用者が誤ってクッション本体２への固定部４１の取り付けを外すことにより、マット３の積層状態が崩れることを防ぐことができる。
【００８４】
固定カバー５は、スリット５４を開閉するファスナー５５を備えていたが、ファスナー５５の代わりに、スリット５４を開閉可能なスナップボタンやホックが設けられていてもよい。
【００８５】
また、固定カバー５の少なくとも一部において固定カバー５の材質を、伸縮性を有する素材、例えば、ゴム素材としてもよい。具体的に、固定カバー５の全体をゴム素材で形成してもよい。また、固定カバー５が、マット３を挿入可能な口、即ち、マット３を挿入可能な開口部を狭くした袋状とし、開口部にゴムを入れることで開口部に伸縮性を持たせてもよい。このような場合においても、固定カバー５のクッション本体２に対する着脱が容易である。
【００８６】
構造物１は、固定カバー５を備えていたが、固定カバー５を備えていなくてもよく、この場合、マット３の積層状態を維持する機能を有しない化粧カバーでクッション本体２を覆ってもよい。例えば、このような化粧カバーで被覆されたクッション本体２を枠状の固定部４１に収納することが考えられる。なお、クッション本体２が化粧カバーや固定カバー５に被覆されない状態で、固定部４１に取り付けられる場合には、クッション本体２の外観を良好とすべく、マット３に着色や意匠が施すことが考えられる。
【００８７】
例えば、マット３は、発泡シート以外に、カーペット、空気を入れることで膨らむエアマット、毛布、畳等であってもよい。マット３の形状は、略長尺板状であったが、正方形の板状や円板状等であってもよい。マット３の形状が正方形の板状である場合、非常時等に、取り出されたマット３は、複数並べた状態で人が寝そべって使用することができ、さらに、取り出された各々の状態で人が座るために使用することもできる。
【００８８】
マット３の積層方向は、垂直方向であったが、垂直方向以外の一方向、例えば、図１６や図１７に示すように、水平方向であることが考えられる。例えば、マット３が正方形の板状である場合であっても、図１７では、クッション本体２のマット３の積層方向における寸法が、マット３の一辺の長さよりも大きくなるようにマット３を積層することで、直方体状のクッション本体２が構成されている。
【００８９】
また、マット３の積層方向は、一方向以外に、複数の方向であってもよく、例えば、水平方向に積層されたマット３の上に、さらに、垂直方向にマット３を積層してもよい。マット３は、広げられた状態で垂直方向及び水平方向の少なくとも一方に積層される以外に、折りたたんだ状態で積層される、例えば、折りたたんだマット３が、垂直方向及び水平方向の少なくとも一方に積層されることが考えられる。また、クッション本体２は、折りたたんだ状態のマット３及び広げられた状態のマット３の両方で構成されることも考えられる。このように、クッション本体２は、積層方向や、マット３の折りたたみの有無を問わず、積層されたマット３で構成されればよい。
【００９０】
マット３は、例えば、図１８（ａ）に示すように長手方向における一方側の端部に少なくとも一つ、具体的には３本の折れ線αを有し、折れ線αに沿って折り返すことにより、図１８（ｂ）に示すように枕部３４が形成されることが考えられる。この場合、人が取り出された各々のマット３に寝そべる際に、枕部３４に頭を乗せることができるため、マット３上で人が眠る際等の快適性を向上できる。なお、マット３の厚みは、均一である以外に、一部が厚くなっていてもよく、この厚い部分が取り出された各々のマットを使う際の枕や、積層されたマット３で構成されるクッション本体２の肘掛け等を兼ねることも考えられる。
【００９１】
クッション本体２は、一種類のマット３により構成される以外に、異なる種類のマット３を含んでもよい。例えば、クッション本体２は、発泡シートを積層した上にカーペットや毛布を積層して構成されたり、発泡シートとカーペットとを交互に積層して構成されたりすることが考えられる。クッション本体２が、発泡シートと毛布との組を複数組積層して構成される場合、災害時やイベント開催時に、発泡シートと毛布との組を一人に一組ずつ提供することができ、この場合、利用者は、発泡シートを敷物として使用すると共に、毛布を掛けて使用することができる。
【符号の説明】
【００９２】
１…構造物、２…クッション本体、３…マット、４…固定手段、５…固定カバー、６…板部材、７…ロック手段、２０…凹部、２１…座面、２２…下面、２３…長壁面、２４…短壁面（長手方向被規制部）、２５…凹部第一面（短手方向被規制部）、２６…凹部第二面（長手方向被規制部）、２７…両端部（端部）、２８…中央部、２９…貫通孔、３０…凹部、３１…凹部第一外縁、３２…凹部第二外縁、３３…貫通孔、３４…枕部、４０…固定部材、４１…固定部、４２…肘掛け部（立設部）、４３…凸部、４４…本体部位、４５…延出部位、４６…肘掛け部位、４７…束縛部、４８…固定凹部、４９…固定部材着脱部、５０…カバー着脱部、５１…座面被覆部、５２…側面被覆部、５３…貫通孔、５４…スリット、５５…開閉部（ファスナー）、６０…板部材着脱部、６１…貫通孔、６２…両端部、２００…被規制部、２０１…貫通被規制部、４００…規制部、４０１…貫通規制部、４０２…取付部材、４０３…紐、４０４…金具、４１０…長壁面（短手方向規制部）、４１１…短壁面（長手方向規制部）、４１２…短手方向延出面（長手方向規制部）、４１３…長手方向延出面（短手方向規制部）、４３１…凸部第一面（短手方向規制部）、４３２…凸部第二面（長手方向規制部）、４４０…主面（長手方向規制部）、４４１…上面、４８１…第一垂直面（短手方向規制部）、４８２…第二垂直面（長手方向規制部）、４８３…水平面、α…折れ線
【図１】
2020137858.tif 000003
【図２】
2020137858.tif 000004
【図３】
2020137858.tif 000005
【図４】
2020137858.tif 000006
【図５】
2020137858.tif 000007
【図６】
2020137858.tif 000008
【図７】
2020137858.tif 000009
【図８】
2020137858.tif 000010
【図９】
2020137858.tif 000011
【図１０】
2020137858.tif 000012
【図１１】
2020137858.tif 000013
【図１２】
2020137858.tif 000014
【図１３】
2020137858.tif 000015
【図１４】
2020137858.tif 000016
【図１５】
2020137858.tif 000017
【図１６】
2020137858.tif 000018
【図１７】
2020137858.tif 000019
【図１８】
2020137858.tif 000020